(57)【要約】【課題】外装面のデザイン性を損なうことなくラベルの貼付位置を表面側から識別可能にする。【解決手段】本発明に係る画像形成装置１は、装置本体２とスモーク部材１３とを備える。装置本体２は、外装面で開口していてカードリーダー１１を内部に収容可能な電子部品収容部１０を有する。スモーク部材１３は、電子部品収容部１０の開口部分に取り付けられ、また、説明ラベル３８の貼付位置３９に対応した貼付基準領域３７と他の領域とが識別されるような表面処理が裏面又は内部に施されていることを特徴とする。【選択図】図４
2014202911.tif 000002
【特許請求の範囲】
【請求項１】
外装面で開口していて電子部品を内部に収容可能な収容部を有する機器本体と、
前記収容部の開口部分に取り付けられるスモーク部材と、
を備え、
前記スモーク部材は、ラベルの貼付位置に対応した貼付基準領域と他の領域とが識別されるような表面処理が裏面又は内部に施されていることを特徴とする電子機器。
【請求項２】
前記スモーク部材は、前記貼付基準領域内に前記表面処理が施されていることを特徴とする請求項１に記載の電子機器。
【請求項３】
前記表面処理はシボ加工であり、前記貼付基準領域は他の領域よりも表面粗さが大きくなっていることを特徴とする請求項２に記載の電子機器。
【請求項４】
前記スモーク部材は、前記貼付基準領域以外に前記表面処理が施されていることを特徴とする請求項１に記載の電子機器。
【請求項５】
前記表面処理はシボ加工であり、前記貼付基準領域は他の領域よりも表面粗さが小さくなっていることを特徴とする請求項４に記載の電子機器。
【請求項６】
前記スモーク部材は、裏面の前記貼付基準領域に対応する表面の貼付位置に前記ラベルが貼り付けられることを特徴とする請求項１〜５のいずれか１項に記載の電子機器。
【請求項７】
前記スモーク部材は、裏面の前記貼付基準領域を貼付位置として前記ラベルが貼り付けられることを特徴とする請求項１〜５のいずれか１項に記載の電子機器。
【請求項８】
前記電子部品はカードリーダーであることを特徴とする請求項１〜７のいずれか１項に記載の電子機器。
【請求項９】
前記電子機器は、画像形成装置であることを特徴とする請求項１〜８のいずれか１項に記載の電子機器。
【発明の詳細な説明】
【技術分野】
【０００１】
本発明は、カードリーダー等の電子部品を備えた画像形成装置等の電子機器に関する。
【背景技術】
【０００２】
従来、電子機器は、機器本体の内部に電子部品を備えて構成される。例えば、電子機器には、複写機、プリンター、複合機等の画像形成装置があり、画像形成装置には、装置本体の内部にカードリーダー等の電子部品を収容したものがある。
【０００３】
電子機器は、用途が同じであっても、製造者の違い等により多様化していて様々なタイプのものが存在し、タイプ毎に電子機器の操作方法や注意点が異なる場合がある。また、電子機器は、多くの機能を備えるために複雑化していて操作方法が複雑になっているものもある。そのため、電子機器には、固有の操作方法や注意点を文字や絵で示した説明ラベルが貼り付けられて構成されるものがある。電子機器は、説明ラベルが機器本体の外装面に貼り付けられて構成されることが多く、この構成では、説明ラベルを貼り付ける位置を識別するために、機器本体の外装面に、説明ラベルの形状に合わせた凸部や凹部を予め設けておくのが一般的である。
【０００４】
また、特許文献１では、シート収容カセットは、シートの積載される積載部と、積載部にシートを積載してシート給送装置に装着された状態において、積載部に積載されたシートを間に挟んでローラーに対向する位置に設置された分離シートと、を有し、分離シートには、文字及び／又は図案が表示されている。
【先行技術文献】
【特許文献】
【０００５】
【特許文献１】特開平１０−２９７７８６号公報
【発明の概要】
【発明が解決しようとする課題】
【０００６】
しかしながら、電子機器の機器本体の外装面は、製品の意匠面であり、上記のように説明ラベルの貼り付けのために外装面に設けた凸部や凹部は、外観上目立つため、デザイン性が低下してしまう。電子機器によって、又は利用者によっては、説明ラベルを貼らない場合もあるが、特にこの場合、表面の凸部や凹部がデザイン性を損ねることとなる。
【０００７】
また、外装面の凸部や凹部に貼り付けられた説明ラベルは、傷や汚れが付き易いため、説明ラベルが剥がれたり、説明ラベルの記載内容を使用者に適切に説明できなくなったりする懸念がある。更に、外装面に設けた凹部に説明ラベルを貼り付けた構成では、説明ラベルを剥がし難くなっているため、説明内容を変更する場合や、外装材のリサイクルのために説明ラベルを分別する場合に、説明ラベルを剥がすのに必要以上に手間や時間が掛かることとなる。
【０００８】
更に、特許文献１においては、画像形成装置の内部に収容されるシート収容カセットに、説明ラベルとしての分離シートを貼り付けているが、これを外装面に適用しても、外観のデザイン性低下や、傷及び汚れの付着を回避することはできない。
【０００９】
そこで、本発明は上記の事情を考慮し、外装面のデザイン性を損なうことなくラベルの貼付位置を表面側から識別可能にすることを目的とする。
【課題を解決するための手段】
【００１０】
本発明の電子機器は、外装面で開口していて電子部品を内部に収容可能な収容部を有する機器本体と、前記収容部の開口部分に取り付けられるスモーク部材と、を備える。前記スモーク部材は、ラベルの貼付位置に対応した貼付基準領域と他の領域とが識別されるような表面処理が裏面又は内部に施されていることを特徴とする。
【００１１】
このような構成を採用することで、ラベルの貼付位置を識別するために機器本体の表面に凸部や凹部を設ける必要がなく、スモーク部材を、機器本体と一体となって電子機器の外装面を構成するように形成することができる。このため、電子機器は外装面のデザイン性を損なうことなくラベルの貼付位置を識別可能に構成されている。また、機器本体の表面に凸部や凹部がないため、ラベルに傷や汚れが付着し難い上、凸部に貼られることによるラベルの剥がれ易さや、凹部に貼られることによるラベルの剥がれ難さが生じることはない。更に、ラベルを貼らない場合でもデザイン性が損なわれない。
【００１２】
前記スモーク部材は、前記貼付基準領域に前記表面処理が施されているとよい。
【００１３】
また、前記表面処理はシボ加工であり、前記貼付基準領域は他の領域よりも表面粗さが大きくなっているとよい。
【００１４】
これらのような構成を採用することで、表面処理された貼付基準領域をスモーク部材の透過性によって表側から視認することができ、貼付基準領域に従って識別される正確な貼付位置にラベルを貼り付けることができる。
【００１５】
或いは、前記スモーク部材は、前記貼付基準領域以外に前記表面処理が施されているとよい。
【００１６】
また、前記表面処理はシボ加工であり、前記貼付基準領域は他の領域よりも表面粗さが小さくなっているとよい。
【００１７】
これらのような構成を採用することで、表面処理されていない貼付基準領域をスモーク部材の透過性によって視認することができ、貼付基準領域に従って識別される正確な貼付位置にラベルを貼り付けることができる。
【００１８】
前記スモーク部材は、裏面の前記貼付基準領域に対応する表面の貼付位置に前記ラベルが貼り付けられるとよい。
【００１９】
このような構成を採用することで、スモーク部材を取り付けた後でも、ラベルを正確に貼り付けることができ、また、容易に貼り換えたり剥がしたりすることができる。
【００２０】
前記スモーク部材は、裏面の前記貼付基準領域を貼付位置として前記ラベルが貼り付けられるとよい。
【００２１】
これらのような構成を採用することで、スモーク部材が取り付けられる前に、貼付基準領域を容易に視認しながらラベルを正確に貼り付けることができ、スモーク部材が取り付けた後で、表面側からスモーク部材を透過してラベルの記載内容を視認することが可能となる。
【００２２】
前記電子部品はカードリーダーであるとよい。
【００２３】
このような構成を採用することで、スモーク部材の光透過性を利用して、カードリーダーの読取機能を発揮させることができ、また、カードリーダーが外観に現れないのでデザイン性を損なうこともない。
【００２４】
該電子機器は、画像形成装置であることを特徴とする。
【発明の効果】
【００２５】
本発明によれば、外装面のデザイン性を損なうことなくラベルの貼付位置を表面側から識別することが可能になる。
【図面の簡単な説明】
【００２６】
【図１】本発明の一実施形態に係る画像形成装置の構成の概略を示す斜視図である。
【図２】本発明の一実施形態に係る画像形成装置の構成の概略を示す模式図である。
【図３】本発明の一実施形態に係る画像形成装置のスモーク部材及びカードリーダーホルダーを取り外した状態を示す分解斜視図である。
【図４】図３の要部拡大図である。
【図５】本発明の一実施形態に係る画像形成装置のカードリーダーホルダーを示す断面図である。
【図６】本発明の一実施形態に係る画像形成装置のスモーク部材の後方からの斜視図である。
【図７】本発明の一実施形態に係る画像形成装置のスモーク部材に説明ラベルを貼り付ける前の状態を示す斜視図である。
【図８】本発明の一実施形態に係る画像形成装置に取り付けられたスモーク部材を示す正面図である。
【図９】本発明の他の実施形態に係る画像形成装置のスモーク部材及びカードリーダーホルダーを取り外した状態を示す分解斜視図である。
【図１０】本発明の他の実施形態に係る画像形成装置のスモーク部材及びカードリーダーホルダーを取り付けた状態を示す断面図である。
【発明を実施するための形態】
【００２７】
まず、図１〜図３を用いて電子機器としての画像形成装置１の全体の構成について説明する。図１は、本発明の一実施形態に係る画像形成装置の構成の概略を示す斜視図、図２は、本発明の一実施形態に係る画像形成装置の構成の概略を示す模式図、図３は、本発明の一実施形態に係る画像形成装置のスモーク部材及びカードリーダーホルダーを取り外した状態を示す分解斜視図である。
【００２８】
図１〜図３に示されるように、画像形成装置１は、箱型形状の装置本体（機器本体）２を備えている。装置本体２の下部には用紙（図示せず）を収納した給紙カセット３が設けられ、装置本体２の上部には第１排紙トレイ４が設けられている。給紙カセット３及び第１排紙トレイ４は、装置本体２内の画像形成部１８で画像が形成される用紙を搬送するために用いられる。
【００２９】
装置本体２の上部における排紙トレイ４の上方には、原稿に表示されたものを画像データとして読み取る画像読取装置５が設けられている。画像読取装置５の上方には、画像読取装置５へと原稿を供給する原稿供給装置６が設けられる。この原稿供給装置６の上面には給紙トレイ７が設けられ、給紙トレイ７の下方には第２排紙トレイ８が設けられている。給紙トレイ７及び第２排紙トレイ８は、画像読取装置５で画像が読み取られる原稿を搬送するために用いられる。
【００３０】
また、装置本体２の上部には、図３に示されるように、正面側（前方）の外装面を開口した凹状の電子部品収容部（収容部）１０が形成されている。電子部品収容部１０には、電子部品としてのカードリーダー１１を保持するカードリーダーホルダー１２が収容される（図４参照）。また、電子部品収容部１０の開口部分には、図１に示されるように、スモーク部材１３が外装面の一部となるように嵌合していて、電子部品収容部１０の内部を覆っている。即ち、スモーク部材１３は、装置本体２と一体となって画像形成装置１の外装面を構成する。なお、装置本体２の電子部品収容部１０の周囲は、好ましくは、明度の低い部材、例えば黒色近傍の明度の部材で形成される。電子部品収容部１０、カードリーダー１１、カードリーダーホルダー１２及びスモーク部材１３については、詳細を後述する。
【００３１】
更に、装置本体２の上部の正面側には、電子部品収容部１０の右方に操作ユニット１４が取り付けられている。
【００３２】
装置本体２の中央部には、図２に示されるように、中間転写ベルト１６が複数のローラー間に架設され、中間転写ベルト１６の下方には、レーザー・スキャニング・ユニット（ＬＳＵ）で構成される露光装置１７が配置されている。中間転写ベルト１６の近傍には、中間転写ベルト１６の下部に沿って４個の画像形成部１８がトナーの色（例えば、マゼンタ、シアン、イエロー、ブラックの４色）ごとに設けられている。各画像形成部１８には、感光体ドラム１９が回転可能に設けられており、感光体ドラム１９の周囲には、帯電器２０と、現像器２１と、一次転写部２２と、クリーニング装置２３と、除電器２４とが、一次転写のプロセス順に配置されている。現像器２１の上方には、各画像形成部１８と対応する４個のトナー容器としてのトナーコンテナ２５が、トナーの色ごとに設けられている。
【００３３】
装置本体２の一側（図面上右側）には、用紙の搬送経路２６が設けられている。搬送経路２６の上流端には給紙部２７が設けられ、搬送経路２６の中流部には中間転写ベルト１６の一端（図面上右端）に二次転写部２８が設けられ、搬送経路２６の下流部には定着装置２９が設けられ、搬送経路２６の下流端には排紙口３０が設けられている。
【００３４】
次に、このような構成を備えた画像形成装置１の画像形成動作について説明する。画像形成装置１に電源が投入されると、各種パラメーターが初期化され、定着装置２９の温度設定等の初期設定が実行される。そして、画像形成装置１に接続されたコンピューター等から画像データが入力され、印刷開始の指示がなされると、以下のようにして画像形成動作が実行される。
【００３５】
まず、帯電器２０によって感光体ドラム１９の表面が帯電された後、露光装置１７からのレーザー光（矢印Ｐ参照）により感光体ドラム１９の表面に静電潜像が形成される。次に、この静電潜像を、トナーコンテナ２５から供給されるトナーによって現像器２１がトナーにより対応する色のトナー像に現像する。このトナー像は、一次転写部２２において中間転写ベルト１６の表面に一次転写される。以上の動作を各画像形成部１８が順次繰り返すことによって、中間転写ベルト１６上にフルカラーのトナー像が形成される。なお、感光体ドラム１９上に残留したトナー及び電荷は、クリーニング装置２３及び除電器２４によって除去される。
【００３６】
一方、給紙部２７によって給紙カセット３又は手指しトレイ（図示せず）から取り出された用紙は、上記した画像形成動作とタイミングを合わせて二次転写部２８へと搬送され、二次転写部２８において、中間転写ベルト１６上のフルカラーのトナー像が用紙に二次転写される。トナー像を二次転写された用紙は、搬送経路２６を下流側へと搬送されて定着装置２９に進入し、この定着装置２９において用紙にトナー像が定着される。トナー像が定着された用紙は、排紙口３０から排紙トレイ４上に排出される。
【００３７】
次に、図４〜図８を参照しながら、カードリーダー１１及びカードリーダーホルダー１２について説明する。図４は、本発明の一実施形態に係る画像形成装置のスモーク部材及びカードリーダーホルダーを取り外した状態の拡大図、図５は、本発明の一実施形態に係る画像形成装置のカードリーダーホルダーを示す断面図、図６は、本発明の一実施形態に係る画像形成装置のスモーク部材の後方からの斜視図、図７は、本発明の一実施形態に係る画像形成装置のスモーク部材に説明ラベルを貼り付ける前の状態を示す斜視図、図８は、本発明の一実施形態に係る画像形成装置に取り付けられたスモーク部材を示す正面図である。
【００３８】
カードリーダー１１は、所定の情報を記憶したカード（図示せず）との非接触通信によりその情報を読み取る機能を有する情報読取部３１と、カードリーダー１１の動作状況を示すＬＥＤ等のランプ３２とを備える。このカードは、例えば、画像形成装置１の使用者の個人情報や、画像形成装置１の使用許否の識別に用いられる認証情報を記憶していて、これらの情報をカードリーダー１１が読み取り、認証することで、画像形成装置１のセキュリティ強化が図られる。
【００３９】
カードリーダー１１は、製造者や使用に応じて様々なタイプで構成され、タイプによって寸法やランプ３２の配置が異なってもよいが、情報読取部３１は正面視中央に配置されるのがよい。ランプ３２の位置は、情報読取部３１の周囲であって、例えば、情報読取部３１の右方に配置され（図８に実線で示す）、又は情報読取部３１の左上方に配置され（図８に破線で示すランプ３２’）、或いは情報読取部３１の左下方に配置される（図８に一点鎖線で示すランプ３２’’）。
【００４０】
カードリーダーホルダー１２は、前方（正面側）が開口した箱型形状を有し、そのホルダー前部３３は前方に向かって拡径したテーパ状に形成されている。カードリーダーホルダー１２は、ホルダー後部３４の内部寸法に適合したカードリーダー１１（図５に実線で示す）を保持できる一方、ホルダー前部３３がテーパ状を有するためにホルダー後部３４よりも大きな寸法のカードリーダー１１’（図５に破線で示す）を保持することもでき、様々なタイプのカードリーダー１１に対応している。
【００４１】
次に、電子部品収容部１０及びスモーク部材１３について詳細に説明する。
【００４２】
電子部品収容部１０は、カードリーダーホルダー１２を収容可能な容積を有し、また、カードリーダーホルダー１２を支持する支持構造を備えていてもよい。電子部品収容部１０は、スモーク部材１３が取り付けられる構造として、内部右側面に窪み３５が形成され、内部左側面に係合凹部３６が形成されている。
【００４３】
スモーク部材１３は、例えばＡＢＳ等の樹脂で形成され、電子部品収容部１０の開口部分と同径の形状を有する板状の部材である。ここでは、スモーク部材１３は、電子部品収容部１０の周囲の装置本体２と同系色の有色透明で、且つ、入射光を減光しつつ透過させる光透過性を有する部材のことをいう。
【００４４】
スモーク部材１３の裏面には、正面視中央に位置する貼付基準領域３７にシボ加工等の表面テクスチャ処理が施される。貼付基準領域３７は、説明ラベル３８を貼り付ける基準となる領域であって、説明ラベル３８が貼り付けられるスモーク部材１３の表面の一部領域（貼付位置）３９（図７参照）に対応する裏面の一部領域である。
【００４５】
貼付基準領域３７は、貼付位置３９と同じ寸法か、又は貼付位置３９よりも一回り大きな寸法で形成される。貼付基準領域３７は、スモーク部材１３の他の領域と異なる表面粗さを有し、例えば、他の領域の表面が平滑面であるのに対して、貼付基準領域３７の表面は算術平均粗さがＲａ＝０．１５μｍ程度であり、他の領域に比べて光の透過率や反射率が異なっている。
【００４６】
スモーク部材１３の表面には、貼付基準領域３７に対応する貼付位置３９に説明ラベル３８が貼り付けられる。説明ラベル３８には、画像形成装置１の操作方法や注意点に係る文字や絵等が記載されていて、例えば、図４及び図８に示されるように、使用者の保有するカードをカードリーダー１１にかざすことを促すイラスト４０が記載される。
【００４７】
スモーク部材１３の右側面には、右方へと突出した突起部４１が形成され、また、スモーク部材１３の裏面の左縁部には、後方へと突出した略Ｌ字型のフック４２が形成されている。フック４２の後方端部には、左方へと突出した係合凸部４３が形成されている。
【００４８】
スモーク部材１３を電子部品収容部１０へと取り付ける場合には、先ず突起部４１を窪み３５に嵌合させ、次にフック４２を電子部品収容部１０へと侵入させて係合凸部４３を係合凹部３６に係合させる。なお、スモーク部材１３は、電子部品収容部１０に取り付けられた状態において、スモーク部材１３の表面と装置本体２の外装面とが段差のないような寸法で構成されている。
【００４９】
本実施形態では、上述のように、スモーク部材１３は、説明ラベル３８を貼り付ける基準となる裏面の貼付基準領域３７にシボ加工等の表面テクスチャ処理が施されている。これにより、スモーク部材１３が電子部品収容部１０に取り付けられている場合でも、使用者は、スモーク部材１３の透過性によって裏面の貼付基準領域３７を視認することができ、貼付基準領域３７に従って識別される正確な貼付位置３９に説明ラベル３８を貼り付けることができる。
【００５０】
また、スモーク部材１３とカードリーダーホルダー１２は、カードリーダー１１の点灯しているランプ３２のみを視認可能にして、それ以外の部分を外から見え難くするために暗色系の色調としている。そのため、カードリーダー１１を装着しない状態においては、外部から電子部品収容部１０に入る光も少なく、カードリーダーホルダー１２の表面で反射する光も少なくなる。スモーク部材１３を介して内側から外側に通過する光が少ないため、シボ加工等を施した貼付基準領域３７とそれ以外の領域とでは通過する光量の差が小さく、これらの領域の識別が困難になる。説明ラベル３８を貼る場合には、スモーク部材１３を電子部品収容部１０から取り外して多くの光を通すようにすれば、貼付基準領域３７が明瞭に視認可能になる。そのため、貼付基準領域３７に合わせて説明ラベル３８を容易に貼り付けることが可能である。
【００５１】
また、説明ラベル３８の貼付位置３９を識別するために装置本体２の表面に凸部や凹部を設ける必要がなく、スモーク部材１３が装置本体２と一体となって画像形成装置１の外装面を構成している。このため、画像形成装置１の外観のデザイン性を損なうことなく、説明ラベル３８の貼付位置３９を識別可能に構成されている。また、装置本体２の表面に凸部や凹部がないため、説明ラベル３８に傷や汚れが付着し難い上、凸部に貼られることによる説明ラベル３８の剥がれ易さや、凹部に貼られることによる説明ラベル３８の剥がれ難さが生じることはない。更に、説明ラベル３８を貼らない場合でもデザイン性が損なわれない。
【００５２】
更に、光透過性を有するスモーク部材１３が電子部品収容部１０を覆うため、カードリーダー１１の読取機能が損なわれることがなく、また、電子部品収容部１０の内部や、カードリーダー１１及びカードリーダーホルダー１２が外観に現れないのでデザイン性を損なうこともない。また、電子部品収容部１０の周囲の装置本体が、明度の低い部材で形成され、スモーク部材１３が同系色の有色透明で形成されるため、スモーク部材１３が外観上、周囲の装置本体２と一体的に構成され、よりデザイン性に優れることとなる。
【００５３】
また、本実施形態によれば、情報読取部３１がカードリーダー１１の中央に配置されると共に、説明ラベル３８がスモーク部材１３の中央に配置されていて、即ち、説明ラベル３８は情報読取部３１に対応する位置に貼り付けられる。これにより、説明ラベル３８のイラスト４０によって促されるカード操作を、情報読取部３１に効果的に作用させることができる。更に、情報読取部３１の周囲に配置されるランプ３２の点灯は、説明ラベル３８に遮られることなく、スモーク部材１３を透過して外観に示すことができる。
【００５４】
本実施形態では、スモーク部材１３の裏面において中央の貼付基準領域３７にシボ加工等の表面処理を施すことにより、説明ラベル３８の貼付位置３９を表面側から識別可能な構成を説明したが、説明ラベル３８の貼付位置３９の識別手段は、この構成に限定されない。例えば、他の実施形態では、スモーク部材１３の裏面において、貼付基準領域３７以外の領域に表面処理を施すことにより、貼付基準領域３７を他の領域よりも表面粗さを小さくして、説明ラベル３８の貼付位置３９を表面側から識別可能に構成してもよい。また、更なる実施形態では、スモーク部材１３は２つの板状部材を貼り合わせて構成され、２つの板状部材間、即ちスモーク部材１３の内部において、貼付基準領域３７に、又は貼付基準領域３７以外の領域に表面処理を施すことにより、貼付位置３９を識別可能に構成してもよい。
【００５５】
本実施形態では、説明ラベル３８をスモーク部材１３の表面に貼り付ける構成を説明したが、他の異なる実施形態では、説明ラベル３８をスモーク部材１３の裏面の貼付基準領域３７に貼り付けて構成してもよい。この場合、操作方法や注意点を示すイラスト４０は、説明ラベル３８の貼付面に記載され、表面側からスモーク部材１３を透過してイラスト４０を視認可能に構成される。
【００５６】
このような構成とすることにより、スモーク部材１３が取り付けられる前には、貼付基準領域３７を容易に視認することができ、説明ラベル３８を正確に貼り付けることができる。また、説明ラベル３８は装置本体２の内部に配置されるので、使用者に直接触れられないため、傷や汚れの付着をより効果的に回避することができ、説明ラベル３８が不測に剥がれることが防止され、また説明内容の可読性を長期間に渡って保つことが可能となる。また、シボ加工等の表面処理により所定の粗さを有する貼付基準領域３７に説明ラベル３８が貼り付けられているため、説明内容を変更するときや、製品寿命後の外装材のリサイクルのために説明ラベル３８を分別するときには、説明ラベル３８は、平滑面に貼られた場合に比べて容易に剥がすことができる。
【００５７】
本実施形態では、電子部品収容部１０の内部側面に窪み３５及び係合凹部３６を備え、スモーク部材１３の側面に突起部４１及びフック４２を備えて、スモーク部材１３を電子部品収容部１０へと取り付ける構成を説明したが、スモーク部材１３の電子部品収容部１０への取付手段はこの構成に限定されない。他の異なる実施形態では、例えば、電子部品収容部１０の内部上下面に窪み３５及び係合凹部３６を備え、スモーク部材１３の上下面に突起部４１及びフック４２を備えて構成されてもよい。或いは、突起部４１やフック４２以外の他の結合手段を用いて構成されてもよい。
【００５８】
本実施形態では、スモーク部材１３を板状に形成した構成を説明したが、スモーク部材１３の形状は、この構成に限定されない。例えば、他の異なる実施形態では、図９及び図１０に示されるように、スモーク部材１３を断面Ｌ字状に構成し、電子部品収容部１０の開口部分となる装置本体２の形状をこのスモーク部材１３の形状に適合するように形成してもよい。
【００５９】
本実施形態では、画像形成装置１に本発明の構成を適用する場合について説明したが、他の異なる実施形態では、プリンター、複写機、ファクシミリ、複合機等の様々な画像形成装置や、その他の画像処理装置や電子計算機等の電子機器に本発明の構成を適用してもよい。
【００６０】
また、本実施形態では、電子部品としてカードリーダー１１を備えた電子機器に本発明の構成を適用する場合について説明したが、他の異なる実施形態では、カードリーダー１１以外のデータ記憶機器や通信機器等の電子部品を備えた電子機器に本発明の構成を適用してもよい。
【００６１】
さらに、本実施形態では、電子部品収容部１０がスモーク部材１３で覆われる電子機器に本発明の構成を適用する場合について説明したが、他の異なる実施形態では、装置本体２の外装部材の一部又は全部がスモーク部材１３のような有色透明で且つ光透過性を有する材料で形成される電子機器に本発明の構成を適用してもよい。また、電子部品を備えていない他の製品であっても、製品の操作方法等の説明ラベル３８を外観に示す製品であって、外装部材の一部又は全部がスモーク部材１３のような有色透明で且つ光透過性を有する材料で構成される製品であれば、本発明の構成を適用することが可能である。
【符号の説明】
【００６２】
１  画像形成装置（電子機器）
２  装置本体（機器本体）
１０  電子部品収容部（収容部）
１１  カードリーダー（電子部品）
１３  スモーク部材
３７  貼付基準領域
３８  説明ラベル
３９  貼付位置
【図１】
2014202911.tif 000003
【図２】
2014202911.tif 000004
【図３】
2014202911.tif 000005
【図４】
2014202911.tif 000006
【図５】
2014202911.tif 000007
【図６】
2014202911.tif 000008
【図７】
2014202911.tif 000009
【図８】
2014202911.tif 000010
【図９】
2014202911.tif 000011
【図１０】
2014202911.tif 000012